(57)【特許請求の範囲】
【請求項１】
粉粒剤を収納するタンク１と起風用のブロアー２と一定幅の散布筒３を有しブロアー２の圧風により圃場表面に粉粒剤を散布する風圧散布機において、散布筒３部を支枠７に固定した中央案内筒４と該中央案内筒４の端部に設けた回動部８，８を介して折たたみ自在に取り付けた左右側方散布筒５，６とすると共に、側方散布筒５，６に開口した粉粒剤散布用の噴口９に一端を取り付け、他端を回動部８の略下方まで延出する案内パイプ１０を設けたことを特徴とする粉粒剤散布機の散布案内装置。
【発明の詳細な説明】
【０００１】
【発明の属する技術分野】
この発明は、粉粒剤散布機の散布案内装置に関するものである。
この発明は一定幅の散布筒により圃場表面に粉粒剤を散布するものであって、非作業時の取り扱い容易化のため複数に折たたみ自在に分割した散布筒であっても、圃場表面全体に粉粒剤をなるべく散布むらを少なくして散布しようとするものである。
【０００２】
【従来の技術】
従来の粉粒剤散布装置は、特開平７−２０３８３１号公報で示すように、折たたみ自在とした一定幅のパイプ状の散布筒の中央部にブロアーからの圧風を左右方向に分割して吹き出し、この圧風下流側に粉粒剤を供給してさらに下流側に開口した複数個の粉粒剤散布用の散布孔から、圃場表面に粉粒剤を落下させ散布している。
【０００３】
【発明が解決しようとする課題】
このような従来のものは、折たたみ自在とした一定幅のパイプ状の散布筒のうち、側方の散布筒部分では粉粒剤の圧送方向や密度がパイプ内で外方に向かって安定して送られているが、散布筒の中央部ではブロアーからの圧風方向や粉粒剤の供給方向等がパイプ軸心方向に対し直交しているため、粉粒剤の粒の大小や比重の大小差により、パイプ内壁間で供給直後の粉粒剤が跳ね回って移送されたり、内壁の特定部に集まって移送されたりと、供給する粉粒剤の性質により大きく変化しやすく、散布筒中央から下方に粉粒剤を散布するのには、開口位置や方向を粉粒剤によって変更しなければならず、安定した散布が難かしかった。
【０００４】
【課題を解決するための手段】
この発明は、従来装置のこのような不具合を解消しようとするものであって、次のような技術的手段を講じた。即ち、粉粒剤を収納するタンク１と起風用のブロアー２と一定幅の散布筒３を有しブロアー２の圧風により圃場表面に粉粒剤を散布する風圧散布機において、散布筒３部を支枠７に固定した中央案内筒４と該中央案内筒４の端部に設けた回動部８，８を介して折たたみ自在に取り付けた左右側方散布筒５，６とすると共に、側方散布筒５，６に開口した粉粒剤散布用の噴口９に一端を取り付け、他端を回動部８の略下方まで延出する案内パイプ１０を設けたことを特徴とする粉粒剤散布機の散布案内装置の構成とした。
【０００５】
【実施例】
図例は、移動農機１１の機体後部に着脱自在に取り付けた粉粒剤を散布する粉粒剤散布機１２であって、粉粒剤は肥料や消毒薬等の粉から粒の固形材料から成り、この粉粒剤散布機１２内の粉粒肥料や薬剤粒を、圃場表面に一定密度で散布しようとするものである。
【０００６】
以下に、図面を参照して、この発明の実施例をくわしく説明する。ただし、この実施例に記載されている構成部品の寸法、材質、形状、その相対配置等は、特に特定的な記載がないかぎりは、この発明の範囲をそれらのみに限定する趣旨のものではなく、単なる説明例にすぎない。
移動農機１１の前後には前後車輪１３，１４が取り付けられ、後車輪１４の前方上方に備えた座席１５上に座った運転者の操作により、図示しない変速レバーとアクセル装置を介し前進または後進し、座席１５前方に設けたハンドル１６の操舵により、移動農機１１は左右に方向を替えて進行する。
【０００７】
前後車輪１３，１４間は主フレーム１７で連結され、主フレーム１７後部上に粉粒剤散布機１２が取り付けられる。
粉粒剤散布機１２は左右方向中央上部のタンク１とそれを支持する左右のスタンド枠１８，１８と、タンク１後部に設けるブロアー２を内装したケース１９と後端部で横方向に幅変更自在の散布筒３を主体としており、スタンド枠１８，１８部を後車輪１４上方の主フレーム１７部に載置固定している。
【０００８】
図４，図５，図６の全体図で示すように、タンク１は下部をテーパー状に絞った収納箱であって上部に粉粒剤を入れるための開閉蓋２０を設け、テーパー状下部に電動モーター３５で駆動回転する駆動軸２１に取り付けた左右二個の繰出具２２，２２と左右の下部室２３，２３（図７，図８で示す。）を備えている。
下部室２３，２３の前後には風の流入・流出用の前後開口２４，２４．２５，２５が設けられ、断面丸形の、この開口部に夫々断面丸形の前風路パイプ２６と搬送風路パイプ２７である弾性材パイプの端部が固着される。以下、構成を限定しない場合、抵抗を少なくするため風路や粉粒材の通路断面は丸形である。
【０００９】
繰出具２２上方にはタンク１内に収納される１８０Ｋｇ程度の粉粒剤の重量が作用しており、粉粒剤を収納する前に繰出具２２の上方を開閉する左右のシャッター２８，２９を、操作軸３０を操作して「開」または「閉」に調整して全幅散布か片側散布か決めておくと、以後の散布作業が容易となる。３１はエア抜きパイプであって、下部室２３に作用する圧風がタンク１内の粉粒剤を持ち上げること無く外部に逃がそうとするものである。これにより、搬送風路パイプ２７に粉粒剤が詰まって下部室２３の内圧が上がって、粉粒剤を持ち上げてブリッジ状態になるのを防止する。
【００１０】
繰出具２２，２２は左右方向に二個並設されており、図示しないがクラッチの入り．切り操作により両方同時またはいずれか片側の駆動回転が可能であり、片側駆動の場合散布筒３の散布全幅に対し対応の片側のみ（左右いずれか半分）の散布を行なう。
繰出具２２は外周部に粉粒剤を保持する保持溝３２，３２．．．を多数設けた回転ロールであって、ロール外周の突起３３，３３．．．部を弾性材としており壁面に少しの間隙を有して回転している。
【００１１】
タンク１下部で繰出具２２の保持溝３２に位置する粉粒剤は繰出具２２の回転により下部室２３に送り出され、ブロアー２の回転により生じた風速により前風路パイプ２６から搬送風路パイプ２７を経て散布筒３に送られると共に、ブロアー２のケース１９と散布筒３を直接連結した主風路３４内の大きな風速により、後述するが散布筒３の全幅からさらに両側方に亘って粉粒剤の肥料または薬剤が散布される。
【００１２】
前風路パイプ２６のケース１９側取付部は図９で示すように、ケース１９の前側背面に設けた径小の風の取入口３６，３６（実測値で風速４５〜５０ｍ／秒）に弾性パイプ様の前風路パイプ２６，２６を取り付けて風の通路としている。
当社従来品は、前風路パイプ２６の入り口部を一個とし途中で二又に分けて下部室２３に供給していたので、繰出具２２，２２の一方をクラッチの切り操作により片側の駆動回転とした時、停止側の繰出具２２下部に粉粒剤が無いため風が二又部から抵抗の無い前風路パイプ２６のみに流れて他側の前風路パイプ２６内の粉粒剤を送り出し難いことがあったが、ケース１９部に二ケ所の風取入口３６，３６を設けたのでブロアー２が回転しているかぎり、この前風路パイプ２６に搬送用の圧風は供給されている。図視しないが無駄をなくすために、風取入口３６にシャッター２８，２９と連動する開閉弁を設けて非使用側を閉鎖しても良い。
【００１３】
ケース１９下部には後方に向かって径大の主風路３４が突設しており、ケース１９内のブロアー２で起風した風の大部分が散布筒３の左右方向中央部に設けた中央案内筒４に径大の主風路３４を介して供給（実測値で風速２５〜３０ｍ／秒）され、主風路３４の左右下流に搬送風路パイプ２７，２７により搬送される粉粒剤を中央案内筒４の両側方（矢印「ハ」方向）に風速により送り出す。
【００１４】
中央案内筒４の内径に対し主風路３４の内径は略同程度、前風路パイプ２６と搬送風路パイプの内径は１／３程度である。
ケース１９の後面には図５，図６で示すように外気の吸入口３７が開口しており、ＰＴＯ軸５９等の駆動力を介して回転駆動するブロアー２により、ここから吸入された空気の大部分が図４，図６で示すように、主風路３４から中央案内筒４の左右中央部へ圧送風として供給され、吸入された空気の一部が粉粒剤搬送用として前風路パイプ２６から搬送風路パイプ２７，２７を経て中央案内筒４に開口した主風路３４の下流側に供給されている。
【００１５】
以下に、この主要部の構成について、図１，図２，図３を主体に詳しく説明する。
中央案内筒４は樹脂剤成型品であって、左右端縁面形状は丸形とし、中間部は進行方向後壁側に一定幅の取付平面３８（図３に示す。）を有しており、後壁側中央部に前方になだらかに突出する山形の案内突起３９（図２に示す。）を有している。この案内突起３９の前壁面側に主風路受口４０を開口し、この開口に主風路３４の端縁面丸形部を突き合わせてゴム環４１で両者を係合一体化し、図示しない締付リングで係合を固定している。
【００１６】
さらに、主風路３４はこの主風路受口４０部で、仕切板４２により風路を左右に仕切り分割されている。仕切板４２は、主風路３４の矢印「イ」方向に流れる圧風を二分割するために、先端を筒内部形状による風量の多い側に曲げて、左右の圧風量を略二等分しており、中央案内筒４の上または下の内壁面に着脱交換自在に締付具を介して取り付けている。
【００１７】
仕切板４２で左右分割された主風路３４下流側には、先端をＶ字状にした一定幅の抵抗板４３，４３が、前述した中央案内筒４の取付平面３８にボルト，ナット等の締付具４５を介して取り付けられ、この一定幅内に位置する中央案内筒４内前方壁面に、それぞれの搬送風路パイプ２７，２７の搬送風受口４４を開口しており、搬送風路パイプ２７と搬送風受口４４を小径ゴム環４６，４６で係合し図示しない締付リングで係合を固定している。また、中央案内筒４の内径は作業者の手，指が入る大きさとし、仕切板４２や抵抗板４３取り付け作業は容易としている。
【００１８】
中央案内筒４の左右端縁と左右の側方散布筒５，６内端間は一定距離間隔を開けて、この間隔を弾性材のジャバラ管４７，４７で一体連結（図１で示す。）係合し、締付リングを兼用した支持金具４８の端部金具４９，４９部で係合を固定している。スタンド枠１８等と一体の支枠７を介して移動農機１１に一体的に取り付けた中央案内筒４に対し、このジャバラ管４７部で前方に折り曲げた側方散布筒５，６の収納状態姿勢（図４で示す。）や、ジャバラ管４７部をまっすぐにした散布作業状態姿勢（図５で示す。）に変更可能としている。中央案内筒４に対し左右の側方散布筒５，６内端間のジャバラ管４７外周には関節５０部を有した支持金具４８が備えられ、一端を支枠７側に取り付け他端を側方散布筒５，６側に取り付けた、回転ネジ等の電動伸縮具５１を伸縮操作して、前記側方散布筒５の収納状態姿勢と散布作業状態姿勢への姿勢変更を行っており、この関節５０部を回動部８と呼称する。
【００１９】
左右の側方散布筒５，６は左右対称であるので、以下右側の側方散布筒６で構成説明をすると、側方散布筒６は樹脂材の成型品であって、図１で示すように内方筒６ａと外方筒６ｂから成り、両者を係合し締付リング５２で締め付け係合保持をしている。内方筒６ａの内径は中央案内筒４の端縁形状より小さくし、粉粒材の主搬送風「イ」を絞って強くしており、この内方筒６ａの下壁側に第一の噴口９を設けている。５３は排出量規制具であって、噴口９の開口度合いを調節して粉粒材の排出量を変更調節可能としているが、粉粒材の径や比重に大きな変更が無いときは調節不要である。
【００２０】
前記の噴口９から下方内方に向かって案内パイプ１０を一体突設している。案内パイプ１０先端は、ジャバラ管４７の外方を覆う支持金具４８の関節５０下方近傍まで延出しており、ジャバラ管４７部をまっすぐにした散布作業状態姿勢の時、案内パイプ１０先端から中央案内筒４下部側に向かって粉粒材を散布するように、一定の角度θを設けている。また、案内パイプ１０先端部は支持金具４８の関節５０近傍に位置しているので、側方散布筒６を回動部８で収納状態姿勢にしたとき、この先端部が後方に大きく突出することを防いでおり、走行時の破損や安全性を向上する。
【００２１】
側方散布筒６の外方筒６ｂには、下壁面には適当間隔を有して４〜５個程度の散布孔５４，５４．．．．を複数個開口しており、散布孔５４部に排出量規制具５３を調節自在に取り付けている。この外方筒６ｂはストレート状のパイプであって、外側開口部に飛散規制カバー５５を取り付けて、側方への粉粒剤の飛散を側端から２ｍ程度に規制している。散布作業時には側方散布筒６の下面の散布孔５４，５４．．．から、矢印「ハ」方向に移動する風の風速により左右の先端側に粉粒剤が送り出される途中で、粉粒剤は圃場表面に落下散布される。
【００２２】
夫々の散布孔５４，５４．．．下流側の排出量規制具５３，５３．．を夫々調節することにより圃場表面への粉粒剤の散布密度を調整する。
散布筒３は移動農機１１の機体幅に近い中央案内筒４と、上方または前方に折りたたむ左右の側方散布筒５，６から成っており、図５のように機体後部でまっすぐに伸ばす散布作業時には散布筒３は約６〜７ｍ程度の全幅でありながら、粉粒剤の散布幅は１０ｍ程度にわたって散布し、左右の側方散布筒５，６を回動部８，８で折りたたんだ非作業時の路上走行移動時には１．２ｍ程度に幅を狭くして路上走行することができる。
【００２３】
図９は電気回路の部分的な説明図であって、ケース１９内のブロアー２の回転を回転センサ５６で検出し、ブロアー２の回転が例えば３，０００回転以下になったときＣＰＵ５７等の制御器を介して、繰出具２２を駆動する駆動軸２１を駆動回転する電動モーター３５を、手動スイッチ５８の入り時に断とすることにより、ブロアー２から矢印「ロ」方向に流れて、粉粒材を繰出具２２の下部室２３から中央案内筒４の搬送風受口４４まで搬送する搬送風路パイプ２７内に粉粒材が詰まってしまうのを防止している。この時、図示していないが、警報用の点滅ランプやブザー等の警報具を作動すると、散布忘れに対しさらに効果が有る。５９はバッテリーである。
【００２４】
タンク１内の粉粒剤は、ブロアー２の回転起風の一部が前風路パイプ２６，２６から繰出具２２，２２の下部室２３，２３に達し、ブロアー２の回転が一定の例えば３，０００回転以上の場合に手動スイッチ５８を「入り」操作すると、電動モーター３５が回転し駆動軸２１を廻して粉粒剤を下部室２３に落下させる。この粉粒剤を搬送風路パイプ２７，２７を経て、中央案内筒４の搬送風受口４４，４４に風送する。
【００２５】
一方ブロアー２の回転起風の大部分は、矢印「イ」で示すように、主風路３４を経て主風路受口４０に達し、仕切板４２で左右の側方散布筒５，６側に二分割される。左右に分割された主風は、抵抗板４３によりさらに上下に分かれながら側方散布筒５，６側に流れるが、この時抵抗板４３の一定幅間隔部に前述の搬送風受口４４を設けているので、粉粒剤は抵抗板４３の一定幅間隔部の負圧部に抵抗少なく容易に噴出して下流側に送り出される。
【００２６】
分割主風により圧送されてジャバラ管４７を経た粉粒剤は、内方筒６ａの下壁側に設けた第一の噴口９に達し、排出量規制具５３に排出量を規制されて、第一の噴口９部から案内パイプ１０を経て、中央案内筒４下部から回動部８下部の圃場表面に斜方散布される。残った粉粒剤は、下流側の外方筒６ｂ下壁面に適当間隔で開口した散布孔５４，５４から夫れ夫れ圃場表面に下方散布され、最後に残った粉粒剤を、飛散規制カバー５５により側方下方に飛散散布する。
【００２７】
【発明の作用効果】
以上説明したようにこの発明は、側方散布筒５，６に開口した粉粒剤散布用の噴口９に一端を取り付け、他端を回動部８の略下方まで延出する案内パイプ１０を設けて粉粒剤を圃場表面に散布しているので、搬送風受口４４から中央案内筒４内に供給された粉粒剤が軸心方向に安定して流れる、下流遠方部の第一の噴口から圃場表面の上流側に引き戻して斜方散布されるから、中央案内筒４下部の散布量を安定して散布出来る。
【図面の簡単な説明】
【図１】要部背面断面図である。
【図２】要部平面断面図である。
【図３】図１の、Ａ矢視図である。
【図４】一部断面した、全体側面図である。
【図５】全体背面図である。
【図６】部分的な要部の、後方斜視図である。
【図７】他の要部の、拡大側面断面図である。
【図８】図７の背面断面図である。
【図９】部分的な、電気回路の説明図である。
【符号の説明】
１    タンク
２    ブロアー
３    散布筒
４    中央案内筒
５    左側方散布筒
６    右側方散布筒
７    支枠
８    回動部
９    噴口
１０    案内パイプ
【図１】
0003596155.tif 000002
【図２】
0003596155.tif 000003
【図３】
0003596155.tif 000004
【図４】
0003596155.tif 000005
【図５】
0003596155.tif 000006
【図６】
0003596155.tif 000007
【図７】
0003596155.tif 000008
【図８】
0003596155.tif 000009
【図９】
0003596155.tif 000010